(57)【要約】【課題】  構成が簡単で操作が容易であり、片手で容易に開閉ができるポーチを提供する。【解決手段】  第１シート１１と第２シート１２によって袋状の本体１０を構成し、前記本体１０の開口部１３の内側における第１シート１１と第２シート１２に沿って面ファスナ２１，２２を設け、前記第１シート１１と第２シート１２の面ファスナのうち、少なくともいずれか一方の面ファスナを間隙を有して取り付け、この間隙を前記開口部１３を指５０で開けるための指掛け部２４としたポーチ。【選択図】図１
2011217941.tif 000002
【特許請求の範囲】
【請求項１】
袋状の本体の開口部の内側に、開口部の閉塞手段と開口部を指で開けるための指掛け部を構成したポーチ。
【請求項２】
前記袋状の本体を、第１シートと第２シートによって構成し、
前記開口部の閉塞手段を、第１シートと第２シートの上端に沿って設けた面ファスナによって構成し、
前記面ファスナの、少なくとも一方の面ファスナを２個の面ファスナによって構成し、
前記２個の面ファスナを所定の間隙を有して設けて指掛け部を構成したことを特徴とする請求項１記載のポーチ。
【発明の詳細な説明】
【技術分野】
【０００１】
本発明は、片手で開閉できる携帯用のポーチに関するものである。
【背景技術】
【０００２】
一般にポーチは、袋状本体の上端の開口部が面ファスナ等で開閉自在となっている。例えば、特許文献１に提案されているおむつ替え用ポーチは、おむつ替え用ポーチ（１）を折り曲げ可能な可撓性材質で作り、上方開口部（７）の両対向辺に結合部材である面ファスナ（７ａ、７ｂ）を設け、この面ファスナ（７ａ、７ｂ）どうしを圧接した後、この圧接部分から巻きつけてゆき、巻きつけた状態で調節ベルト（２）の部分（２ａ）を長帯状の面ファスナである調節ベルト固定具（４）の任意の場所にくっつけるようにしたものである。
【先行技術文献】
【特許文献】
【０００３】
【特許文献１】特開２００２−１０８１８号公報
【０００４】
前記特許文献１に記載されたおむつ替え用ポーチは、上方開口部（７）の両対向辺の全面にわたり設けた面ファスナ（７ａ、７ｂ）の全面を圧接して閉鎖しているから、ポーチを開けるときには、両手を使って上方開口部（７）の両対向辺を持って、面ファスナ（７ａ、７ｂ）を両側に強く開かなくてはならず、片手であけることができないという問題点があった。
【発明の概要】
【発明が解決しようとする課題】
【０００５】
本発明は、上記の問題点を解決すためになされたものであり、ポーチの開口部に設けた閉塞手段を、開口部の上端に設けた指掛け部によって片手で容易に開けることができるポーチを提供することを目的とする。
【課題を解決するための手段】
【０００６】
本発明は、袋状の本体の開口部の内側に、開口部の閉塞手段と開口部を指で開けるための指掛け部を構成したポーチである。
【０００７】
本発明は、前記袋状の本体を、第１シートと第２シートによって構成し、前記開口部の閉塞手段を、第１シートと第２シートの上端に沿って設けた面ファスナによって構成し、前記面ファスナの、少なくとも一方の面ファスナを２個の面ファスナによって構成し、前記２個の面ファスナを所定の間隙を有して設けて指掛け部を構成したポーチである。
【発明の効果】
【０００８】
請求項１の発明は、袋状の本体の上端開口部の内側に設けた閉塞手段の一部に指掛け部を設けたためポーチを指で容易に開けることができる。
【０００９】
請求項２の発明は、袋状の本体を第１シートと第２シートを張り合わせて構成し、この第１シートと第２シートの上端に沿って面ファスナを設け、前記面ファスナのうち、少なくとも一方の面ファスナを２個に分離して所定の間隙を有して取り付けたから、この間隙を指掛け部として使用してポーチを指で容易に開けることができる。
【図面の簡単な説明】
【００１０】
【図１】本発明の実施形態１の使用状態を示す斜視図
【図２】本発明の実施形態１の使用状態を示す斜視図
【図３】本発明の実施形態１の閉塞手段を示す平面図
【図４】本発明の実施形態２の閉塞手段を示す平面図
【図５】本発明の実施形態３の閉塞手段を示す平面図
【図６】本発明の実施形態４の閉塞手段を示す平面図
【図７】本発明の実施形態５の閉塞手段を示す平面図
【図８】本発明の実施形態５の斜視図
【発明を実施するための形態】
【００１１】
本発明の実施形態１は、第１シートと第２シートで袋状の本体を構成している。この第１シートの内側上端に沿って２個の面ファスナを間隙を有して取り付けて指掛け部を構成すると共に、前記第２シートの内側上端には全面にわたって面ファスナを設けてなるポーチである。以下図面に基づいて詳細に説明する。
【００１２】
図１、図２、図３に示すように、実施形態１のポーチは長方形の第１シート１１と第２シート１２を貼り合わせた袋状の本体１０からなり、主として犬の散歩、しつけあるいはトレーニング時に携帯して用いるものである。
この第１シート１１と第２シート１２の材質は、本実施形態ではビニールを用いているが、布、皮革等任意に選択でき、大きさも自由に決定できる。
【００１３】
前記第１シート１１の内側上端に２個の面ファスナ２２，２２を指５０が入る程度の間隙を有して取り付け、この間隙を指掛け部２４とする。一方、第２シート１２の内側上端には略全長にわたって１個の面ファスナ２１を取り付けてある。
【００１４】
このポーチを身体に装着するために、第２シート１２の外側上端に、装着手段であるカラビナ３０を取り付ける。装着時には図１に示すように、第２シート１２が身体に接触し第１シート１１は外側に向いた状態になる。
【００１５】
このように構成した本実施形態の作用を、犬の散歩時に使用する場合に基づいて説明する。
【００１６】
まず袋状の本体１０内部に犬のエサ３１，３１・・を入れ開口部１３を閉塞し、カラビナ３０でベルト６０に装着して犬の散歩に出かける。このとき、片手は常に犬のリード（図示せず）を掴まなくてはならない。
【００１７】
ポーチからエサ３１を取り出すときは、リードを掴んでいない方の手を使い、図２に示すように指５０を指掛け部２４の上から差し込む。このとき指掛け部２４は、面ファスナ２２，２２が構成されておらず間隙となっているため、指５０を差し込むことができるのである。
【００１８】
その後、指５０で第１シート１１を第２シート１２と反対側（矢印Ａ方向）に引っ張ると、面ファスナ２２，２２が面ファスナ２１より離れて開口部１３が大きく開く。その後、袋状の本体１０内部に手を入れて内部のエサ３１を取り出すのである。
【００１９】
開口部１３を閉塞するには、上記と逆に第１シート１１の上端を矢印Ａと反対方向に押して第２シート１２の上に押し当てれば、面ファスナ２２，２２が面ファスナ２１に接合して閉塞する。
【００２０】
このように本実施形態によれば、通常の散歩中は開口部１３は確実に閉まっているためエサ３１が外部にこぼれるおそれはない。
エサ３１を取り出すときは、片手でリードを掴んだままで他方の手で開口部１３を開けて、迅速にエサ３１を取り出して与えることができるため、愛犬にストレスを与えず愛犬との散歩を楽しいものとし、又、しつけやトレーニングもスムーズに行うことができる。
【００２１】
図４は本発明の実施形態２であり、指掛け部２４を第２シート１２の上端に設けたものである。
すなわち、前記第２シート１２の内側上端に２個の面ファスナ２２，２２を指５０が入る程度の間隙を有して取り付け、この間隙を指掛け部２４とする。一方、第１シート１１の内側上端には略全長にわたって、面ファスナ２１を取り付けたものである。 
【００２２】
使用に際しては、指５０を指掛け部２４に差し込んで、第１シート１１を第２シート１２と反対方向側（矢印Ａ方向）に引っ張れば、第１シート１１は第２シート１２より離れて開口部１３が開く。
そのほかの構成、作用、効果は前記実施形態１と同様のため説明を省略する。
【００２３】
図５は本発明の実施形態３であり、第１シート１１と第２シート１２の両方に、それぞれ前記実施形態と同様な指掛け部２４，２４を設けたものである。
すなわち、前記第１シート１１と第２シート１２のそれぞれの内側上端に２個ずつの面ファスナ２２，２２，２２，２２を間隙２４，２４を有して取り付け、この間隙２４，２４が対向するようにし、この間隙２４，２４を指掛け部２４としたものである。 
【００２４】
本実施形態では前記実施形態１、２と比較して、指掛け部２４の間隙が大きいため指５０が内部に入りやすく開口作業が迅速に行うことができる。本実施形態もすべてのポーチに適応できるが、特に大型のポーチに好適である。
【００２５】
図６は本発明の実施形態４であり、袋状の本体４０が円筒形状で、開口部４３が円形であり、面ファスナ４１が開口部４３の内側上端の周囲に輪状に設けられ、その一部を切り欠いた状態で指掛け部４２を構成している。この実施形態では、ポーチあるいは開口部が円筒形状のものに適応できる。
【００２６】
図７、図８は、本発明の実施形態５を示すものである。この実施形態は前記実施形態１における第１シート１１の指掛け部２４に該当する部分に突起２９を設けたものである。 この突起２９は、第１シート１１より硬質な材質で構成してある。
この実施形態によれば、突起２９が第１シート１１の表面より外側に突出しているため、指掛け部２４に指５０を掛けやすいというメリットがある。
【００２７】
上記の通り本実施形態では、犬の散歩、しつけあるいはトレーニング時に携帯する場合を説明したが、本発明のポーチは、これ以外にも使用できる。
すなわち片手を使用できない状況、例えば片手で杖をついているときや荷物を持っているとき等に、使用していない他方の手で容易に開閉できるポーチであり、生活のあらゆる場面で活用できるのである。
【符号の説明】
【００２８】
１０  袋状の本体
１１  第１シート
１２  第２シート
１３  開口部
２１  面ファスナ
２２  面ファスナ
２４  指掛け部
２９  突起
３０  カラビナ（装着手段）
４０  袋状の本体
４１  面ファスナ
４３  開口部
５０  指
【図１】
2011217941.tif 000003
【図２】
2011217941.tif 000004
【図３】
2011217941.tif 000005
【図４】
2011217941.tif 000006
【図５】
2011217941.tif 000007
【図６】
2011217941.tif 000008
【図７】
2011217941.tif 000009
【図８】
2011217941.tif 000010